(57)【要約】【課題】  テレビ番組の視聴中にその番組と関連するクーポンを自動的に取得し、容易な方法でクーポンを利用できるようにする。【解決手段】  テレビの視聴者は、そのテレビによって、受信している番組に登録されている所定の関連情報を取得し、同関連情報と、端末ＩＤとを、クーポン要求として上記インターネットを介して上記サーバーに送信する。サーバーは、テレビからインターネットを介してクーポン要求を受信すると、上記クーポン要求に伴う上記関連情報と上記端末ＩＤとを取得し、同端末ＩＤから上記ユーザーデータベースを参照して上記受信地域情報を取得し、同受信地域情報と、上記クーポン要求に伴う関連情報とに基づいてクーポン配布条件に合致する店舗のサービス情報を汎用携帯端末にて復号可能な読み取りコードに映像化して変換し、上記クーポン要求を送信した上記テレビに同読み取りコードを送信する。【選択図】  図３
2013152517.tif 000002
【特許請求の範囲】
【請求項１】
テレビ放送を受信可能であるとともにインターネットに接続可能なテレビと、インターネットを介してアクセス可能なサーバーとからなるクーポン配布システムであって、
上記テレビは、
受信している番組に登録されている所定の関連情報を取得し、同関連情報と、端末ＩＤとを、クーポン要求として上記インターネットを介して上記サーバーに送信する機能を有し、
上記サーバーは、
端末ごとに、同端末の識別子である端末ＩＤと、受信地域である受信地域情報とを有するユーザーデータベースを備え、
上記テレビからインターネットを介してクーポン要求を受信すると、上記クーポン要求に伴う上記関連情報と上記端末ＩＤとを取得し、
同端末ＩＤから上記ユーザーデータベースを参照して上記受信地域情報を取得し、
同受信地域情報と、上記クーポン要求に伴う関連情報とに基づいてクーポン配布条件に合致する店舗のサービス情報を汎用携帯端末にて復号可能な読み取りコードに映像化して変換し、
上記クーポン要求を送信した上記テレビに同読み取りコードを送信する機能を有し、
上記テレビは、
同読み取りコードを受信すると、同読み取りコードを画面に映像化して表示する機能を有することを特徴とするクーポン配布システム。
【請求項２】
上記サーバーは、
店舗ごとに、同店舗の住所である店舗受信地域情報と、クーポン配布条件に関する関連情報と、クーポンとして配布するサービス情報とを有する店舗データベースを備え、
上記テレビからインターネットを介してクーポン要求を受信したとき、
上記端末ＩＤから上記ユーザーデータベースを参照して取得される上記受信地域情報と、上記クーポン要求に伴う関連情報とに基づいて上記店舗データベースを参照してクーポン配布条件に合致する店舗の上記サービス情報を検索することを特徴とする請求項１に記載のクーポン配布システム。
【請求項３】
上記サーバーは、
上記ユーザーデータベースとして、上記端末ＩＤとしてのデバイスＩＤと、上記受信地域情報としての郵便番号コードとを有し、
上記店舗データベースとして、店舗名と、上記店舗受信地域情報としての店舗住所と、上記関連情報としてのジャンルと、上記サービス情報とを有することを特徴とする請求項２に記載のクーポン配布システム。
【請求項４】
上記サーバーは、上記サービス情報として、店舗名と、店舗住所と、デバイスＩＤを上記読み取りコードに変換することを特徴とする請求項３に記載のクーポン配布システム。
【請求項５】
上記サーバーは、
店舗ごとに、同店舗の住所である店舗受信地域情報を有する第１の店舗データベースと、
各店舗ごとに備えられて、当該店舗におけるクーポン配布条件に関する関連情報と、クーポンとして配布するサービス情報とを有する第２の店舗データベースを備え、
上記テレビからインターネットを介してクーポン要求を受信したとき、
上記端末ＩＤから上記ユーザーデータベースを参照して取得される上記受信地域情報に基づいて上記第１の店舗データベースを参照して該当する店舗を絞り込み、
該当する店舗について上記クーポン要求に伴う上記関連情報に基づいて上記第２の店舗データベースを参照して、クーポン配布条件に合致する店舗の上記サービス情報を検索することを特徴とする請求項１に記載のクーポン配布システム。
【請求項６】
上記サーバーは、上記第２の店舗データベースを、各店舗のウェブサイトごとに備えられ、
上記テレビは、上記第１の店舗データベースを参照して得られた店舗ごとに、
該当する店舗の上記第２の店舗データベースを参照して、クーポン配布条件に合致する店舗の上記サービス情報を検索することを特徴とする請求項５に記載のクーポン配布システム。
【請求項７】
上記テレビは、受信している番組の番組情報から関連情報を取得することを特徴とする請求項１〜請求項６のいずれかに記載のクーポン配布システム。
【請求項８】
上記テレビは、キーワードを登録可能であり、受信している番組の番組情報に同キーワードが含まれるときに、同番組情報から関連情報を取得することを特徴とする請求項７に記載のクーポン配布システム。
【請求項９】
上記読み取りコードは、ＱＲコードであることを特徴とする請求項１〜請求項８のいずれかに記載のクーポン配布システム。
【請求項１０】
請求項１に記載のクーポン配布システムにおけるテレビ。
【請求項１１】
請求項１に記載のクーポン配布システムにおけるサーバー。
【請求項１２】
テレビ放送を受信可能であるとともにインターネットに接続可能なテレビと、インターネットを介してアクセス可能なサーバーとからなるクーポン配布システムであって、
上記テレビは、
受信している番組の番組情報から所定の関連情報を取得し、同関連情報と、端末ＩＤとを、クーポン要求として上記インターネットを介して上記サーバーに送信する機能を有し、
上記サーバーは、
端末ごとに、同端末の識別子である端末ＩＤと、受信地域である受信地域情報とを有するユーザーデータベースと、
店舗ごとに、同店舗の住所である店舗受信地域情報と、クーポン配布条件に関する関連情報と、クーポンとして配布するサービス情報とを有する店舗データベースとを備え、
上記テレビからインターネットを介してクーポン要求を受信すると、上記クーポン要求に伴う上記関連情報と上記端末ＩＤとを取得し、
同端末ＩＤから上記ユーザーデータベースを参照して上記受信地域情報を取得し、
同受信地域情報と、上記クーポン要求に伴う関連情報とに基づいて上記店舗データベースを参照してクーポン配布条件に合致する店舗の上記サービス情報を検索し、
同サービス情報を汎用携帯端末にて復号可能な読み取りコードに映像化して変換し、
上記クーポン要求を送信した上記テレビに同読み取りコードを送信する機能を有し、
上記テレビは、
同読み取りコードを受信すると、同読み取りコードを画面に映像化して表示する機能を有し、
上記ユーザーデータベースとして、上記端末ＩＤとしてのデバイスＩＤと、上記受信地域情報としての郵便番号コードとを有し、
上記店舗データベースとして、店舗名と、上記店舗受信地域情報としての店舗住所と、上記関連情報としてのジャンルと、上記サービス情報とを有し、
上記サーバーは、上記サービス情報として、店舗名と、店舗住所と、デバイスＩＤを上記読み取りコードに変換することを特徴とする請求項１に記載のクーポン配布システム。
【発明の詳細な説明】
【技術分野】
【０００１】
本発明は、テレビ放送を受信可能であるとともにインターネットに接続可能なテレビと、インターネットを介してアクセス可能なサーバーとからなるクーポン配布システムに関する。
【背景技術】
【０００２】
従来、クーポンを配布するシステムとして、特許文献１に示すインターネット介してクーポンを取得するものや、特許文献２に示すクーポンを携帯に送信するものや、特許文献３に示す電子マネーで決済するものなどが知られている。
【先行技術文献】
【特許文献】
【０００３】
【特許文献１】特開２００３−２０８３８１号公報
【特許文献２】特開２００８−３９８２号公報
【特許文献３】特開２００９−１４５５７４号公報
【発明の概要】
【発明が解決しようとする課題】
【０００４】
特許文献１に示すものは、テレビ番組の視聴中にその番組と関連するクーポンを自動的に取得するということはできない。
特許文献２に示すものは、携帯電話の位置情報に基づいて関連するクーポンを取得できるが、実際に特定の店舗の近くにいないとそのクーポンを自動的に取得するということはできない。
特許文献３に示すものは、テレビ番組の視聴中にその番組と関連する広告を受けるものの、電子マネーの場合に決済に反映されるにすぎない。
【０００５】
本発明は、テレビ番組の視聴中にその番組と関連するクーポンを自動的に取得し、ユーザーになじみのある方法でクーポンを利用できるクーポン配布システムを提供する。
【課題を解決するための手段】
【０００６】
本発明は、テレビ放送を受信可能であるとともにインターネットに接続可能なテレビと、インターネットを介してアクセス可能なサーバーとからなるクーポン配布システムであって、
上記テレビは、
受信している番組に登録されている所定の関連情報を取得し、同関連情報と、端末ＩＤとを、クーポン要求として上記インターネットを介して上記サーバーに送信する機能を有し、
上記サーバーは、端末ごとに、同端末の識別子である端末ＩＤと、受信地域である受信地域情報とを有するユーザーデータベースを備え、
上記テレビからインターネットを介してクーポン要求を受信すると、上記クーポン要求に伴う上記関連情報と上記端末ＩＤとを取得し、同端末ＩＤから上記ユーザーデータベースを参照して上記受信地域情報を取得し、同受信地域情報と、上記クーポン要求に伴う関連情報とに基づいてクーポン配布条件に合致する店舗のサービス情報を汎用携帯端末にて復号可能な読み取りコードに映像化して変換し、上記クーポン要求を送信した上記テレビに同読み取りコードを送信する機能を有し、
上記テレビは、同読み取りコードを受信すると、同読み取りコードを画面に映像化して表示する機能を有する。
上記構成において、テレビの視聴者は、そのテレビによって、受信している番組に登録されている所定の関連情報を取得し、同関連情報と、端末ＩＤとを、クーポン要求として上記インターネットを介して上記サーバーに送信する。
【０００７】
一方、サーバーは、テレビからインターネットを介してクーポン要求を受信すると、上記クーポン要求に伴う上記関連情報と上記端末ＩＤとを取得し、同端末ＩＤから上記ユーザーデータベースを参照して上記受信地域情報を取得し、同受信地域情報と、上記クーポン要求に伴う関連情報とに基づいてクーポン配布条件に合致する店舗のサービス情報を汎用携帯端末にて復号可能な読み取りコードに映像化して変換し、上記クーポン要求を送信した上記テレビに同読み取りコードを送信する。
【０００８】
そして、上記テレビは、同読み取りコードを受信すると、同読み取りコードを画面に映像化して表示する。
このように、インターネットに接続可能なテレビにおいて、視聴地域周辺に関連したクーポンを通知・検索するサービスを提供する。
【発明の効果】
【０００９】
本発明によれば、このようにして、視聴しているテレビ番組に関連するクーポンをコード化した読み取りコードが画面に表示され、ユーザーは汎用携帯端末で同コードを読み取れば、慣れ親しんだ方法でクーポンを利用できる。
このように、テレビ視聴時に視聴地域周辺のクーポン情報を提供することにより、ユーザーが、テレビ視聴時に興味・関心のあるクーポン情報を得ることができる。また、ユーザーは、視聴番組のジャンルに関連したクーポン情報を受け取ることができ、携帯端末などから検索する煩わしさを削減することができる。さらに、クーポンを提供する店舗は、従来よりもクーポン情報の周知効果が向上することが期待できる。
【図面の簡単な説明】
【００１０】
【図１】第１の実施例のシステムの概念図である。
【図２】クーポンデータ応答の概念図である。
【図３】第１の実施例の実施フローを示す図である。
【図４】第２の実施例のシステムの概念図である。
【図５】第２の実施例の実施フローを示す図である。
【発明を実施するための形態】
【００１１】
以下、図面にもとづいて本発明の実施形態を説明する。
近年、インターネットに接続してビデオオンデマンド（ＶＯＤ）などのサービスを利用できるテレビが増加している。インターネットサービスでは、動画・音楽コンテンツの視聴サービスが主流となっている。本実施例では、インターネットサービスとしてテレビ視聴地域周辺のクーポン情報の提供を行う。
【００１２】
＜実施例１＞
図１は、本発明の一実施例が適用された第１の実施例の概念図を示している。
図において、１はクーポン提供店舗であり、２はウェブアプリケーションサーバー（データベースを含む）であり、３はユーザーが使用するテレビであり、４はクーポン提供店舗であり、これらは５のインターネットを介して相互に通信可能となっている。このように、テレビ放送を受信可能であるとともにインターネットに接続可能なテレビ３と、インターネットを介してアクセス可能なサーバー（ウェブアプリケーションサーバー）２とからなるクーポン配布システムを構築している。
【００１３】
そして、後述するようにしてテレビ３からウェブアプリケーションサーバー２に対してクーポンデータ要求（クーポン情報リクエスト：クーポン要求）を送信すると、ウェブアプリケーションサーバー２はテレビ３に対してクーポンデータ応答（クーポン情報を含むＱＲコード送信（ＱＲコードは登録商標である））を返すというものである。
【００１４】
図２は、ウェブアプリケーションサーバー２がテレビ３にクーポンデータ応答を行う際の概念図を示している。
同図に示すように、ウェブアプリケーションサーバーには、以下の二種類のデータベースが備えられている。一つめは、該当地域の店舗が発行するクーポンを管理する店舗データベースであり、二つめは、ユーザーの利用情報を管理するユーザーデータベースである。
【００１５】
ここで、各データベース情報は以下のようになっている。
店舗データベースの内容は、各店舗ごとに、
Ｎｏ．１［店舗名］［店舗住所］［サービス情報］［ジャンル］
Ｎｏ．２［店舗名］［店舗住所］［サービス情報］［ジャンル］
Ｎｏ．３［店舗名］［店舗住所］［サービス情報］［ジャンル］
となっている。
【００１６】
また、ユーザーデータベースの内容は、各テレビ（ユーザー）ごとに、
Ｎｏ．１［デバイスＩＤ］［住所（郵便番号）］
Ｎｏ．２［デバイスＩＤ］［住所（郵便番号）］
Ｎｏ．３［デバイスＩＤ］［住所（郵便番号）］
となっている。なお、郵便番号は郵便番号コードに相当する。
【００１７】
このようなデータベースがウェブアプリケーションサーバー２に備えられていることを前提としつつ、以下の二つのアプリケーションを実行できる。
一つめは、店舗管理アプリであり、この店舗管理アプリにより、各店舗がクーポン情報をウェブ上から上記店舗データベースへ登録・更新することが可能となる。
二つめは、テレビ上アプリであり、このテレビ上アプリにより、ユーザーが利用情報をテレビ上から上記ユーザーデータベースへ登録・更新することが可能となる。
さらに、ウェブアプリケーションサーバーアプリとして、該当地域で、該当ジャンルあるいは該当キーワードに合致する情報を抽出する機能（ＱＲコード化する情報を抽出）と、クーポン情報のＱＲコードを作成（ＱＲコード化）し、発行する機能（ＱＲコード送信）を有している。
一方、テレビ上では、クーポン情報リクエストを送信し、ＱＲコードを受信する機能を有し、ＱＲコードを表示する機能を有している。
【００１８】
次に、上記構成を前提とした実際の実施フローを図３を参照しつつ説明する。
ステップ１１に示すように、予め、クーポンを提供する店舗は、サービス内容（サービス情報、ジャンル（、検索範囲））をウェブサイトから登録する。
ユーザーは、通常どおりにテレビ番組を視聴するが、番組に関するクーポンが欲しいと思えば、ステップ１２に示すように、テレビ３からクーポン情報リクエストをウェブアプリケーションサーバー２に問合せる。
ここにおいて、クーポン情報リクエストの内容は、テレビに登録されている識別子であるデバイスＩＤ（端末ＩＤ）と、検索範囲（テレビ設置地域周辺の検索範囲）と、検索条件である。
【００１９】
テレビに登録されているデバイスＩＤに基づいてユーザーデータベースが参照され、住所（郵便番号）が検索されることになる。デバイスＩＤと住所（郵便番号）とは、ユーザーデータベースに登録しておく。住所（郵便番号）は各テレビが設置されている住所を予めテレビに登録しておくものである。一般的には、テレビの場合はチャンネルセットプログラムを備えており、チャンネルセットのために受信地域の設定をしている。従って、ユーザーに対して別途住所の情報を設定させるのではなく、この地域設定（受信地域情報）から自動的に取得して登録するようにしてもよい。
【００２０】
また、検索範囲（テレビ設置地域周辺の検索範囲）とは、ユーザーがクーポンを欲しいと思われる範囲であり、予め設定しておく。例えば、きわめて近隣の場合のクーポンだけしか欲しいと思わないユーザーもいれば、一つの都道府県内の範囲であれば欲しいと思うユーザーもいるし、さらには近畿地区といったかなり広大な範囲でも欲しいと思うユーザーもいる。後者であればあるほどクーポンが多く、雑多になりがちであるので、ユーザーの選択を反映させる趣旨である。
【００２１】
最後の検索条件は、視聴しているテレビ番組に関連してどのような検索でクーポンを注出するかを指定する方法であり、関連情報を送り出すことに相当する。また、ここでは二つの検索方法として、ジャンル検索と、キーワード検索とを指定可能である。
ジャンル検索は、視聴番組のジャンルに関連するクーポンを表示する機能である。テレビから視聴番組のジャンル情報を提供することで、視聴番組に関連あるクーポンを提供できる。このようなジャンル検索では、予め「ジャンル」と「提供クーポン」とを対応づけてある。一例として、
（ジャンル）  （提供クーポン）
映画          映画チケットクーポンを提供
スポーツ      スポーツ事務優待券を提供
ｅｔｃ
といった対応付けが可能である。
【００２２】
また、キーワード検索は、ユーザーが登録可能なキーワードに関連するクーポンを表示する機能である。具体的には、ユーザーが予めテレビにキーワードを登録しておくと、テレビは、登録したキーワードが視聴中の番組タイトル・番組情報に含まれていた際にクーポン情報リクエストを送信することになる。この場合、検索の情報として送信するのはジャンルであるが、キーワードそのものを送信するようにしても良い。その場合は、データベースにキーワードを反映させておく。そして、ウェブアプリケーションサーバーは、クーポン情報リクエストを受けると受信したキーワードを含むクーポン情報を返すことになる。
【００２３】
ステップ１３では、テレビ３からクーポン情報リクエストを受信したウェブアプリケーションサーバー２において検索実行を行なう。絞り込みは、ユーザーデータベースを検索してから、店舗データベースを検索する。すなわち、テレビ３からのクーポン情報リクエストを受信すると、デバイスＩＤに基づいてユーザーデータベースを参照し、その住所を検索する。そして、検索された住所と、検索範囲に基づいて該当する店舗を店舗データベースを参照して検索する。
【００２４】
そして、該当する店舗が絞り込まれるとともに、ユーザーが指定したジャンル検索であるのかキーワード検索であるのかに基づいてそれぞれの検索が行われる。より具体的には店舗データベースのジャンルに含まれる項目で、検索条件で指定されるジャンルと一致するものを検索する。キーワード検索でも同様である。
続く、ステップ１４では、このようにしてテレビから受信したクーポン情報リクエストに条件が一致するクーポン情報を抽出し、ＱＲコードを生成する。むろん、これらの検索条件こそクーポン配布条件に相当する。なお、クーポン情報は、少なくとも、店舗情報（店舗名、サービス情報）と、店舗住所（店舗受信地域情報）と、ユーザー情報（デバイスＩＤ）とを含めている。これらのクーポン情報を含めたＱＲコードに変換して生成する。ＱＲコードは映像化した読み取りコードの一例である。一般的な携帯電話（汎用携帯端末）はこのような読み取りコードを読み取ってその内容の情報を復元する（復号可能）ことが可能であるため、本発明ではユーザーがその機能を使うこととしている。
【００２５】
そして、ステップ１５では、ウェブアプリケーションサーバー２が．同ＱＲコードをテレビ３へ送信する。
一方のテレビ３の側では、ステップ１６において、ウェブアプリケーションサーバーから受信したＱＲコードを表示する。すなわち、ユーザーが視聴できるように画面表示する。
最後に、ステップ１７では、ユーザーが、テレビ３の画面に表示されているＱＲコードを携帯電話などの汎用携帯端末などで読み取りクーポンを利用する。
【００２６】
＜実施例２＞
次に、店舗データベースを二つに分けたシステムである第２の実施例について説明する。まず、図４はこのような第２の実施例の概念図を示している。
同図において、６はテレビ、７はウェブアプリケーションサーバーであるが、このウェブアプリケーションサーバー７は、第１の店舗データベースを備え、各店舗８−１〜８−２は、それぞれ店舗ごとの検索システムと店舗ＨＰ（第２の店舗データベース）とを備えている。
【００２７】
まず、ウェブアプリケーションサーバー７における第１の店舗データベースは、以下のように店舗ごとに、店舗名と店舗住所とを対応させたデータベース構造となっている。
Ｎｏ．１［店舗名］［店舗住所］
Ｎｏ．２［店舗名］［店舗住所］
Ｎｏ．３［店舗名］［店舗住所］
すなわち、店舗住所から店舗名が、あるいはその逆での検索が可能となっている。
【００２８】
また、各店舗８−１〜８−２が有する、店舗ごとの第２の店舗データベースは、以下のように、サービス情報とジャンルとを対応づけたデータベース構造となっている。
すなわち、＜第２の店舗データベース：店舗Ｎｏ．１＞では、
［サービス情報］［ジャンル］
＜第２の店舗データベース：店舗Ｎｏ．２＞では、
［サービス情報］［ジャンル］
＜第２の店舗データベース：店舗Ｎｏ．３＞では、
［サービス情報］［ジャンル］
というデータベースが構築されている。
このように店舗データベースを分離させた構造とすることにより、テレビ６はウェブアプリケーションサーバー７の第１の店舗データベースを見て、その後に個別に各店舗８−１〜８−３のＨＰ（第２の店舗データベース）を見に行く。
【００２９】
なお、ウェブアプリケーションサーバーには、第１の実施例と同様に、ユーザーの利用情報を管理するユーザーデータベースが備えられ、以下のようなデータベース構造である。
＜ユーザーデータベース＞
Ｎｏ．１［デバイスＩＤ］［住所（郵便番号）］
Ｎｏ．２［デバイスＩＤ］［住所（郵便番号）］
Ｎｏ．３［デバイスＩＤ］［住所（郵便番号）］
【００３０】
次に、上記構成を前提とした実際の実施フローを図５を参照しつつ説明する。
まず、第１の実施例と同様、ステップ２１では、クーポンを提供する店舗は、店舗と店舗住所をウェブアプリケーションサーバーの第１の店舗データベースに登録し、サービス内容（サービス情報、ジャンル（、検索範囲））を自らのウェブサイトの第２のデータベースに登録する。
【００３１】
そして、ユーザーは、ステップ２２で、テレビ６からクーポン情報リクエストをウェブアプリケーションサーバー７に問合せる。ここでのクーポン情報リクエストには、テレビに登録されているデバイスＩＤと、検索範囲だけが含まれる。
続いて、ウェブアプリケーションサーバー７では、ステップ２３で店舗検索を実行（ユーザーデータベース検索と、第１の店舗データベース検索）する。この店舗検索では、まず、デバイスＩＤに基づいてユーザーデータベースを参照し、テレビ６の設置住所を検索する。続いて、検索された設置住所に基づいて第１の店舗データベースを参照し、テレビ６の設置住所と検索範囲を検索条件として該当する店舗名を抽出する。すなわち、設置住所を基準とした検索範囲の店舗住所を対象として、設置住所に相当する店舗住所を検索し、検索された店舗住所に相当する店舗名を抽出する。その後、抽出した店舗名をテレビ６に通知する。
【００３２】
第２の実施例の場合は、クーポン情報リクエストはまだ続く。すなわち、ステップ２４にて、テレビ６からクーポン情報リクエストを店舗のウェブサイト（第２の店舗データベース）に問合せる。ここでは、第１の店舗データベースを参照して店舗名が絞り込まれたことから、テレビ６は該当する店舗名の店舗に対してだけ、検索条件を含むクーポン情報リクエストを問合せる。検索条件は、上述したようにジャンル検索とキーワード検索とがある。
【００３３】
すると、ステップ２５では、指定された検索条件に基づいて各店舗のウェブサイト（第２の店舗データベース）での店舗検索を実行する。
各店舗での第２の店舗データベースは、［サービス情報］と［ジャンル］のデータベース構造となっており、検索条件で指定したジャンルに相当するサービス情報を抽出することになる。
【００３４】
このあと、ウェブアプリケーションサーバー７は、ステップ２６で、テレビ６から受信したクーポン情報リクエストに条件が一致するＱＲコードを生成し、ステップ２７で、同ＱＲコードをテレビ６へ送信する。また、テレビ６は、ステップ２８で、ウェブアプリケーションサーバー７から受信したＱＲコードを表示する。このようにＱＲコードを表示することでクーポンを配布したことに相当する。
そして、ユーザーは、ステップ２９で、画面に表示しているＱＲコードを携帯端末などで読み取り、クーポンを利用する。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３６】
１…クーポン提供店舗、２…ウェブアプリケーションサーバー、３…テレビ、４…クーポン提供店舗、５…インターネット、６…テレビ、７…ウェブアプリケーションサーバー、８−１〜８−３…店舗。
【図１】
2013152517.tif 000003
【図２】
2013152517.tif 000004
【図３】
2013152517.tif 000005
【図４】
2013152517.tif 000006
【図５】
2013152517.tif 000007